(57)【要約】      （修正有）【課題】美感性及び趣味性を持ちあわせ、三個の部材からなる構成として該部材の内２個を回転させることができる機構にて需要者の遊び心をもくすぐらせることができる低コストにて量産対応をも可能とした装身具を提供する。【解決手段】外輪体10と、外輪体内に取り付け可能な内輪体12と、内輪体内に取り付け可能な心棒16を連結した装飾体とからなり、外輪体は、環状形にて装飾体の心棒を挿通させる貫通孔20と、内輪体を保持する軸棒22とを互いに対向する位置に設けて形成し、内輪体は、外輪体内に取り付け可能な環状形にて、装飾体の心棒を挿通させる貫通孔24と、貫通孔と互いに対向する位置に外輪体の軸棒を保持する保持孔261とを設けて形成し、装飾体は、外輪体及び内輪体双方に設けた貫通孔に挿通させる心棒と装飾可能な装飾部18とを有して形成、外輪体、内輪体のそれぞれが、心棒及び軸棒を中心軸として回転自在とした。【選択図】図３
0003109401.tif 000002
【実用新案登録請求の範囲】
【請求項１】
外輪体と、該外輪体内に取り付け可能な内輪体と、該内輪体内に取り付け可能な心棒を連結した装飾体とからなり、
前記外輪体は、環状形にて、該環状形の幅中央位置において、前記装飾体の心棒を挿通させる貫通孔と、前記内輪体を保持する軸棒とを互いに対向する位置に設けて形成し、
前記内輪体は、前記外輪体内に取り付け可能な環状形にて、該環状形の幅中央位置において、前記装飾体の心棒を挿通させる貫通孔と、該貫通孔と互いに対向する位置に前記外輪体の軸棒を保持する保持孔とを設けて形成し、
前記装飾体は、外輪体及び内輪体双方に設けた貫通孔に挿通させる心棒と、装飾可能な装飾部とを有して形成、
以上の構成より、外輪体、内輪体のそれぞれが、心棒及び軸棒を中心軸として回転自在としたことを特徴とする機能付き装身具。
【請求項２】
外輪体と、該外輪体内に取り付け可能な内輪体と、該内輪体内に取り付け可能な心棒を連結した装飾体と、からなり、
前記外輪体は、環状形にて、該環状形の幅中央位置において、前記装飾体の心棒を挿通させる貫通孔と、前記内輪体を保持する軸棒とを互いに対向する位置に設けて形成し、
前記内輪体は、前記外輪体内にて反発力を有する大きさの環状形にて取り付け可能とし、該環状形の幅中央位置において、前記装飾体の心棒を挿通させる貫通孔と、該貫通孔を中心として間隔を外輪体の環状形の幅が嵌り込む長さとした２個の切り欠き部と、前記貫通孔と互いに対向する位置に前記外輪体の軸棒を保持する保持孔を設けて形成し、
前記装飾体は、外輪体及び内輪体双方の上部に設けた貫通孔に挿通させる心棒と、装飾可能な装飾部とを有して形成、
以上の構成より、内輪体を心棒及び軸棒を中心軸として回転させることにより、外輪体の一部分が内輪体に設けた２個の切り欠き部に嵌り込んで内輪体を９０度毎に位置して係止させる機構を有することを特徴とした機能付き装身具。
【請求項３】
外輪体と、該外輪体内に取り付け可能な内輪体と、該内輪体内に取り付け可能な心棒を連結した装飾体と、からなり、
前記外輪体は、環状形にて、該環状形の幅中央位置において、貫通孔と、該貫通孔を中心として間隔を内輪体の環状形の幅が嵌り込む長さとした２個の切り欠き部と、前記貫通孔と互いに対向する位置に軸棒を設けて形成し、
前記内輪体は、前記外輪体内にて反発力を有する大きさの環状形にて配置可能とし、該環状形幅の略中央位置において、前記装飾体の心棒を挿通させる貫通孔と、該貫通孔と互いに対向する位置に前記外輪体の軸棒を保持する保持孔とを設けて形成し、
前記装飾体は、外輪体及び内輪体双方に設けた貫通孔に挿通させる心棒と、装飾可能な装飾部とを有して形成、
以上の構成より、内輪体を心棒及び軸棒を中心軸として回転させることにより、内輪体の一部分が外輪体に設けた２個の切り欠き部に嵌り込んで内輪体を９０度毎に位置して係止させる機構を有することを特徴とした機能付き装身具。
【考案の詳細な説明】
【技術分野】
【０００１】
本考案は、ペンダント、イヤリング等の下げ飾り装身具、下げ飾りアクセサリーに関するものである。
【背景技術】
【０００２】
従来の下げ飾り装身具及び下げ飾りアクセサリーとして、可動部分を設けての回転、揺動、リバーシブルに使用出来る等の機能を持たせた多種の提案がなされている。特に、可動形式として回転動作を用いた様々なアクセサリー類やそれを応用した各種物品が提案されている。
【０００３】
その中で、各種物品等に連繋させる連繋手段と、この連繋手段に連繋されたアクセサリー体とから成り、アクセサリー体は、所定形状の枠状を呈する枠部と、この枠部内における対向位置で相互に突出された支持軸ピンと、この支持軸ピンによって回転自在に嵌め合わせられることで枠部内にて回転自在に支持される装飾体とを備えて成る回転動するアクセサリー具が提案されている。（例えば特許文献１参照。）。
【０００４】
また、外周部を花、動物、星座等の任意形象物に形成し、中央部に孔を設け、該外周部の上下、左右の２点にて回転自在に軸支された回転体には、表面と裏面とに適宜分離して一連の文字等を記載して回転させるペンダントトップが提案されている。（例えば特許文献２参照。）。
【０００５】
しかし、上記二つの提案は、いずれも外部体（枠部、外周部）と、内部体（装飾体、回転体）の二個の部材からなる構成にて内部体のみを回転させる構造であるために、美感性及び趣味性は有るものの、需要者の遊び心をくすぐらせる商品としては動き的に欠けるものである。
【０００６】
【特許文献１】実用新案登録３０７３０１５号公報
【特許文献２】実開昭６０−１３０７１１号公報
【考案の開示】
【考案が解決しようとする課題】
【０００７】
前記事項を鑑み、美感性及び趣味性を持ちあわせることは勿論のこと、三個の部材からなる構成として、該部材の内、２個をそれぞれに回転させることができる機構、または、回転、係止できる機構とし、そして、需要者の遊び心をもくすぐらせることができる低コストにて量産対応をも可能とした商品の提供を目的とする。
【課題を解決するための手段】
【０００８】
本考案の請求項１は、外輪体と、該外輪体内に取り付け可能な内輪体と、該内輪体内に取り付け可能な心棒を連結した装飾体とからなり、前記外輪体は、環状形にて、該環状形の幅中央位置において、前記装飾体の心棒を挿通させる貫通孔と、前記内輪体を保持する軸棒とを互いに対向する位置に設けて形成し、前記内輪体は、前記外輪体内に取り付け可能な環状形にて、該環状形の幅中央位置において、前記装飾体の心棒を挿通させる貫通孔と、該貫通孔と互いに対向する位置に前記外輪体の軸棒を保持する保持孔とを設けて形成し、前記装飾体は、外輪体及び内輪体双方に設けた貫通孔に挿通させる心棒と、装飾可能な装飾部とを有して形成、前記内輪体の保持孔に前記外輪体に設けた軸棒を挿入して、該軸棒の先端を膨突して内輪体を該軸棒より外れることなく取り付けした後、該内輪体及び、該外輪体に設けた双方の貫通孔に装飾体の心棒を挿通させて、外輪体、内輪体のそれぞれを心棒及び軸棒を中心軸として回転自在にした。
【０００９】
また、本考案の請求項２は、外輪体と、該外輪体内に取り付け可能な内輪体と、該内輪体内に取り付け可能な心棒を連結した装飾体とからなり、前記外輪体は、環状形にて、該環状形の幅中央位置において、前記装飾体の心棒を挿通させる貫通孔と、前記内輪体を保持する軸棒とを互いに対向する位置に設けて形成し、前記内輪体は、前記外輪体内にて反発力を有する大きさの環状形にて取り付け可能とし、該環状形の幅中央位置において、前記装飾体の心棒を挿通させる貫通孔と、該貫通孔を中心として間隔を外輪体の環状形の幅が嵌り込む長さとした２個の切り欠き部と、前記貫通孔と互いに対向する位置に前記外輪体の軸棒を保持する保持孔を設けて形成し、前記装飾体は、外輪体及び内輪体双方の上部に設けた貫通孔に挿通させる心棒と、装飾可能な装飾部とを有して形成、前記内輪体の保持孔に前記外輪体に設けた軸棒を挿入して、該軸棒の先端を膨突して内輪体を該軸棒より外れることなく取り付けした後、該内輪体及び該外輪体に設けた双方の貫通孔に装飾体の心棒を挿通させて外輪体又は内輪体を心棒及び軸棒を中心軸として回転させることにより、外輪体の幅の一部分が内輪体に設けた２個の切り欠き部に嵌り込んで内輪体を９０度毎に位置して係止させることができる。
【００１０】
さらに、本考案の請求項３は、外輪体と、該外輪体内に取り付け可能な内輪体と、該内輪体内に取り付け可能な心棒を連結した装飾体とからなり、前記外輪体は、環状形にて、該環状形の幅中央位置において、貫通孔と、該貫通孔を中心として間隔を内輪体の環状形の幅が嵌り込む長さとした２個の切り欠き部と、前記貫通孔と互いに対向する位置に軸棒を設けて形成し、前記内輪体は、前記外輪体内にて反発力を有する大きさの環状形にて配置可能とし、該環状形幅の略中央位置において、前記装飾体の心棒を挿通させる貫通孔と、該貫通孔と互いに対向する位置に前記外輪体の軸棒を保持する保持孔とを設けて形成し、前記装飾体は、外輪体及び内輪体双方に設けた貫通孔に挿通させる心棒と、装飾可能な装飾部とを有して形成、前記内輪体の保持孔に前記外輪体に設けた軸棒を挿入して、該軸棒の先端を膨突して内輪体を該軸棒より外れることなく取り付けした後、該内輪体及び該外輪体に設けた双方の貫通孔に装飾体の心棒を挿通させて外輪体又は内輪体を心棒及び軸棒を中心軸として回転させることにより内輪体の幅の一部分が外輪体に設けた２個の切り欠き部に嵌り込んで内輪体を９０度毎に位置して係止させることができる。
【考案の効果】
【００１１】
本考案の機能付き装身具は、上記請求項１の手段により、外輪体及び内輪体をそれぞれに回転自在とすることができ、また、装飾部をも揺動可能として、地球ゴマをイメージさせる美感性及び趣味性と、遊び心をもくすぐる商品となった。
【００１２】
また、請求項２及び３の手段により、外輪体及び内輪体をそれぞれに回転可能として、内輪体の反発力にて外輪体と内輪体が９０度毎に位置して係止させることができ、また、装飾体をも揺動可能として、地球ゴマをイメージさせる美感性及び趣味性と、遊び心をもくすぐる商品となった。
【考案を実施するための最良の形態】
【００１３】
以下、図面を用いて本考案の実施形態を詳細に説明する。図１は、本考案である機能付き装身具の実施例１の構成を示す部材の概念図であり、図１（Ａ）は、平線を用いてハートの形を環状形にて形成し、平線の幅中央位置において、装飾体１４に連結された心棒１６を挿通させる貫通孔２０と、内輪体１２を保持する軸棒２２とを互いに対向する位置に設けて外輪体１０を形成した。
【００１４】
図１（Ｂ）は、平線を用いて外輪体１０内に取り付け可能なハートの形を環状形にて形成し、平線の幅中央位置において、装飾体１４に連結された心棒１６を挿通させる貫通孔２４と、該貫通孔と互いに対向する位置に外輪体１０の軸棒２２を保持する保持孔２６とを設けて内輪体１２を形成した。
【００１５】
図１（Ｃ）は、板材をプレスで打ち抜いてハート形の装飾部１８を製作し、装飾部１８に接続環６を取り付けると共に、丸線の一端に接続環４を取り付けて心棒１６とし、接続環４と接続環６を連結して装飾体１４を形成した。本考案によれば、心棒１６と装飾部１８の連結は接続環以外でも良く限定するものではない。
【００１６】
図２は、内輪体１２の保持孔２６に、外輪体１０に設けた軸棒２２を挿入して軸棒２２の先端を溶かして膨突部８を形成させることにより、内輪体１２は外輪体１０に設けた軸棒２２より外れることなく回転可能とした。
【００１７】
図３は、外輪体１０に内輪体１２を組み込んだ図２の状態に対して、外輪体１０の貫通孔２０及び、内輪体１２に設けた貫通孔２４の双方に装飾体１４の心棒１６を挿通させた後、心棒１６を適宜長さにして環２を取り付けした。それにより、外輪体１０、内輪体１２のそれぞれを心棒１６及び軸棒２２を中心軸として回転自在にし、装飾部１８をも揺動可能とした。本考案によれば、実施にあたっては心棒１６に環２を取り付けたがバチカン等を用いても良く、例えば、バチカン下部の幅中央に孔を設けて、該バチカンに心棒１６を挿通して心棒１６の先端を膨突して連結することにより、装飾部１８を揺動及び回転させることもできる。
【００１８】
図４は、図３の状態から内輪体１２を回転させて９０度の位置にした正面の状態を示し、図５は、図４を真上から見た平面の状態を示す。
【００１９】
図６は、本考案の機能付き装身具の実施例２である外輪体１０と内輪体１２と装飾体１４を組み込んだ状態を示し、平線を用いてハートの形を環状形にて形成し、平線の幅中央位置において、装飾体１４に連結された心棒１６を挿通させる貫通孔２０と、内輪体１２を保持する軸棒２２とを互いに対向する位置に設けて外輪体１０を形成した。
【００２０】
外輪体１０に対して、内輪体１２は、外輪体１０内にて反発力を有する大きさの環状形にて取り付け可能とし、該環状形の幅中央位置において、装飾体１４の心棒１６を挿通させる貫通孔２４と、該貫通孔を中心として間隔を外輪体１０の環状形の幅が嵌り込む長さとした切り欠き部２８ａ及び２８ｂと、貫通孔２４と互いに対向する位置に外輪体１０の軸棒２２を保持する保持孔２６を設けて形成した。
【００２１】
装飾体１４は、板材をプレスで打ち抜いてハート形の装飾部１８を製作し、装飾部１８に接続環６を取り付けた後、文字入れ、宝石を石留めした。そして、丸線の一端に接続環４を取り付けて心棒１６とし、接続環４と接続環６を連結して装飾体１４を形成した。
【００２２】
そして、内輪体１２の保持孔２６に、外輪体１０に設けた軸棒２２を挿入して軸棒２２の先端を溶かして膨突部８を形成して組み込み、外輪体１０の貫通孔２０及び、内輪体１２に設けた貫通孔２４の双方に装飾体１４の心棒１６を挿通させた後、心棒１６を適宜長さにして環２を取り付けした。それにより、外輪体１０及び内輪体１２は心棒１６及び軸棒２２を中心軸として回転し、９０度毎の位置にて係止させることができ、装飾部１８をも揺動可能とした。本考案によれば、実施にあたっては心棒１６に環２を取り付け用いたが実施例１のバチカン等を用いた方法をも用いることができる。
【００２３】
図７は、内輪体１２に外輪体の環状形の幅が嵌り込む長さとした切り欠き部２８ａ及び２８ｂを設けた状態を示し、外輪体１０又は内輪体１２を回転させることにより、外輪体１０の幅の一部分が内輪体１２に設けた切り欠き部２８ａ、２８ｂに嵌り込んで外輪体１０又は内輪体１２を９０度毎に位置して係止させることができる。
【００２４】
図８は、図７の状態から内輪体１２を回転させて切り欠き部２８ａ及び２８ｂに外輪体１０の幅の一部分が嵌り込み外輪体１０に対して内輪体１２を９０度の位置にした正面の状態を示し、図９は、図８を真上から見た平面の状態を示す。
【００２５】
図１０は、本考案の機能付き装身具の構成を示す外輪体１０と内輪体１２と装飾体１４を組み込んだ状態を示す実施例３であり、要旨として、実施例２の内輪体１２の切り欠き部２８ａ及び２８ｂを設けないで、外輪体１０に設けたことを特徴としている。
【００２６】
図１１は、外輪体１０に内輪体１２の環状形の幅が嵌り込む長さとした切り欠き部２８ａ及び２８ｂを設けた状態を示し、外輪体１０又は内輪体１２を回転させることにより、内輪体１２の幅の一部分が外輪体１０に設けた切り欠き部２８ａ、２８ｂに嵌り込んで外輪体１０又は内輪体１２を９０度毎に位置して係止させることができる。
【００２７】
本考案によれば、実施例１、２、３にあたっては外輪体１０、内輪体１２は平線を用いてハート形の単純形状としたが、当然のことながら実施形態は本考案を限定するものではなく、他の方法として、ロストワックス鋳造法等を用いて形状を複雑なデザインとすることも可能であり、装飾部１８も同じくロストワックス鋳造法等にて製作可能である。
【図面の簡単な説明】
【００２８】
【図１】実施例１の構成を示す部材の概念図である。
【図２】実施例１の外輪体内に内輪体を配置し、軸棒の先端を膨突して組み込んだ状態を示す正面図である。
【図３】実施例１の外輪体と内輪体と装飾体を組み込んだ状態を示す正面図である。
【図４】実施例１の外輪体に対して内輪体を９０度の位置にした状態を示す正面図である。
【図５】図４の平面図を示す。
【図６】実施例２の外輪体と内輪体と装飾体を組み込んだ状態を示す正面図である。
【図７】実施例２の内輪体に切り欠き部を設けた状態の要部切り欠き拡大図を示す。
【図８】実施例２の外輪体に対して内輪体を９０度の位置にした状態を示す正面図である。
【図９】図８の平面図を示す。
【図１０】実施例３の実施例２の外輪体と内輪体と装飾体を組み込んだ状態を示す正面図である。
【図１１】実施例３の外輪体に切り欠き部を設けた状態の要部切り欠き拡大図を示す。
【符号の説明】
【００２９】
２  環
４  接続環
６  接続環
８  膨突部    
１０  外輪体
１２  内輪体
１４  装飾体
１６  心棒
１８  装飾部
２０  貫通孔
２２  軸棒
２４  貫通孔
２６  保持孔
２８  切り欠き部
【図１】
0003109401.tif 000003
【図２】
0003109401.tif 000004
【図３】
0003109401.tif 000005
【図４】
0003109401.tif 000006
【図５】
0003109401.tif 000007
【図６】
0003109401.tif 000008
【図７】
0003109401.tif 000009
【図８】
0003109401.tif 000010
【図９】
0003109401.tif 000011
【図１０】
0003109401.tif 000012
【図１１】
0003109401.tif 000013
【手続補正書】
【提出日】平成16年12月27日(2004.12.27)
【手続補正１】
【補正対象書類名】明細書
【補正対象項目名】０００６
【補正方法】変更
【補正の内容】
【０００６】
【特許文献１】登録実用新案第３０７３０１５号公報
【特許文献２】実開昭６０−１３０７１１号公報